【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】
遊技盤の前面を透明板にて遮蔽し遊技領域を形成し、
該遊技領域へ発射装置にて遊技球を打ち込み、
前記遊技盤に設けられた入賞口へ入球させると払出装置によって賞球が払出される弾球遊技機において、
前記遊技盤より前方で、遊技盤面の主要な遊技領域を目視する妨げにならない場所において、前記払出装置は遊技球の払出しを行う際に１球ずつ区切って払出し、且つ、遊技者が遊技球の払出しを目視可能にしていることを特徴とする弾球遊技機。
【請求項２】
請求項１に記載の弾球遊技機において、遊技盤面前方に二重に嵌合された透明板の間隙内にて遊技球の払出しを行うことを特徴とする弾球遊技機。
【請求項３】
請求項１又は２に記載の弾球遊技機において、遊技機の前面枠にて遊技球の払出しを行うことを特徴とする弾球遊技機。
【請求項４】
請求項１又は２に記載の弾球遊技機において、
遊技盤面前方に三重に嵌合された透明板の間隙内にて遊技球の払出しを行うことを特徴とする弾球遊技機。
【請求項５】
請求項３又は４に記載の弾球遊技機において、前記透明板と他の透明板の間隙内に、遊技球が遊技領域へ流下しないように仕切部材を設けることを特徴とする弾球遊技機。
【請求項６】
請求項３乃至５に記載の弾球遊技機において、前記透明板と他の透明板の間隙内に遊技球の案内部材を設けることを特徴とする弾球遊技機。
【請求項７】
請求項１乃至６に記載の弾球遊技機において、
遊技球を島設備から払出装置へと直接供給することにより、
球供給装置を不要とすることを特徴とする弾球遊技機。
【請求項８】
請求項１乃至７に記載の弾球遊技機において、主要な遊技領域を目視する妨げにならない部分にて、払出す遊技球の貯留が可能であることを特徴とする弾球遊技機。
【手続補正２】
【補正対象書類名】明細書
【補正対象項目名】０００５
【補正方法】変更
【補正の内容】
【０００５】
【課題を解決するための手段】
上記の目的を達成するため、請求項１に記載の弾球遊技機は、遊技盤の前面を透明板にて遮蔽し遊技領域を形成し、該遊技領域へ発射装置にて遊技球を打ち込み、前記遊技盤に設けられた入賞口へ入球させると払出装置によって賞球が払出される弾球遊技機において、前記遊技盤より前方で、遊技盤面の主要な遊技領域を目視する妨げにならない場所において、前記払出装置は遊技球の払出しを行う際に１球ずつ区切って払出し、且つ、遊技者が遊技球の払出しを目視可能にしていることを特徴とする。ここで遊技盤より前方とは、遊技機の前面及び遊技盤面より前方、即ち遊技機よりも遊技者寄りの位置である。また主要な遊技領域とは、遊技進行において重要な役割を果たす表示領域、始動口、大入賞口などを含む領域を指している。そして前記主要な遊技領域における、遊技球の挙動、始動口及び大入賞口への入球（又は、入賞）、図柄表示装置などに表示された図柄等を遊技者が目視する妨げにならないように遊技球を払出すための遊技球の払出しの領域（球通路等）を設けることが好ましい。
【手続補正３】
【補正対象書類名】明細書
【補正対象項目名】０００７
【補正方法】変更
【補正の内容】
【０００７】
請求項１の弾球遊技機によると、従来ならば遊技機裏面にて行っていた遊技球の払出しを、遊技機前方にて行うことにより、遊技機裏面機構盤の小面積化及び前面枠スペースの有効利用が可能となる効果を有する。払出装置から払出した遊技球が上皿に排出されるまでの過程を、遊技者が目視することができるように構成しているので、遊技球の払出しを確認する際に、上皿で確認するよりも遊技者の目線の動きが少なくして確認が可能である。また、払出した遊技球の流下態様を目視することができるので、遊技者の目を楽しませる効果を有する。遊技球の払出しを行う際に、１球ずつ区切って払出すことを特徴とするので、遊技球が入賞することによって払出しを行う際、例えば入賞口への遊技球１個の入賞に対して払出し装置が賞球を１５個払出すとき、賞球を一気に払出す構成の払出装置である場合には、払出した遊技球の流下範囲が広範囲にわたってしまうことが避けられず、主要な遊技領域を遮蔽する恐れがある。故に払出しを１球ずつ区切って行ない、払出す遊技球の流下範囲をある程度限定することで、主要な遊技領域を遮蔽することなく、遊技球を払出すことが可能となる。上記遊技球の払出しを行う際に、１球ずつ区切って払出すことを実施可能とする手段として、スプロケット方式の払出装置か、若しくはスクリュー方式を用いた払出装置を用いる。これらの払出装置は夫々遊技球を１球ずつ区切って払出すことが可能である。
【手続補正４】
【補正対象書類名】明細書
【補正対象項目名】０００８
【補正方法】変更
【補正の内容】
【０００８】
請求項２に記載の弾球遊技機は、請求項１に記載の弾球遊技機において、遊技盤面前方に二重に嵌合された透明板の間隙内にて遊技球の払出しを行うことを特徴とする。従来、遊技に直接関わることのない透明板の外板と内板とに挟まれた空間にて、遊技球を払出すことにより、スペースの有効利用を計りながら、払出し時に遊技者の目視による確認が容易となり、更に見た目の興趣が向上する効果を有する。
【手続補正５】
【補正対象書類名】明細書
【補正対象項目名】０００９
【補正方法】変更
【補正の内容】
【０００９】
請求項３に記載の弾球遊技機は、請求項１又は２に記載の弾球遊技機において、遊技機の前面枠にて遊技球の払出しを行うことを特徴とする。透明で内部を目視可能な前面枠に遊技球の払出し通路を設け、透明な通路を払出した遊技球が通ることにより、遊技者が目視可能となる効果を発揮する。
【手続補正６】
【補正対象書類名】明細書
【補正対象項目名】００１０
【補正方法】変更
【補正の内容】
【００１０】
請求項４に記載の弾球遊技機は、請求項１又は２に記載の弾球遊技機において、遊技盤面前方に三重に嵌合された透明板の間隙内にて遊技球の払出しを行うことを特徴とする。遊技盤面前方に設けている透明板を三重にすることによって、従来の二重に設けている透明板の外板が担っている機能を、三重の透明板の外板が担うことができるようになる。
【手続補正７】
【補正対象書類名】明細書
【補正対象項目名】００１２
【補正方法】変更
【補正の内容】
【００１２】
請求項５に記載の弾球遊技機は、請求項３又は４に記載の弾球遊技機において、前記透明板と他の透明板の間隙内に、遊技球が遊技領域へ流下しないように仕切部材を設けることを特徴とする。
二重又は三重に嵌合された透明板の間隙内に、仕切りを設けることにより、遊技球の通路を形成する。これにより遊技球の通過領域を限定し、主要な遊技領域を遮蔽する部分に払出した遊技球が流下しないように誘導する効果を発揮する。
また、主要な遊技領域を遮蔽する透明板の間隙を遊技球が通過できない幅とし、それ以外の透明板の間隙を遊技球が通過可能な厚さにすることによって、遊技球の通過領域を限定しても良い。なお、遊技球の球通路として使用する透明板は樹脂製であることが好ましい。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
なお、遊技球の払出しを行う際に、遊技者に対して遊技球の払出しを報知する、報知手段を設けることもできる。報知手段としては、音、ランプ、画像表示等があり、遊技球を払出す時に前述の内のいずれか１つ若しくは適宜組合わせたものを実行し、遊技者への報知とし、更に払出し時の演出効果を向上させる効果を有する。
【手続補正１１】
【補正対象書類名】明細書
【補正対象項目名】００１６
【補正方法】変更
【補正の内容】
【００１６】
請求項６に記載の弾球遊技機は、請求項３乃至５に記載の弾球遊技機において、前記透明板と他の透明板の間隙内に遊技球の案内部材を設けることを特徴とする。遊技球を払出す透明板に案内部材（釘の替わりの部材、例えば風車等）を設けることで、払出す遊技球を誘導し、その速度を低下させることができる。これにより、透明板への負担軽減、騒音を低下させることができる。また、案内部材によって変化する遊技球の流下態様が遊技者の目を楽しませる効果を発揮する。
【手続補正１２】
【補正対象書類名】明細書
【補正対象項目名】００１７
【補正方法】変更
【補正の内容】
【００１７】
請求項７に記載の弾球遊技機は、請求項１乃至６に記載の弾球遊技機において、遊技球を島設備から払出装置へと直接供給することにより、球供給装置を不要とすることを特徴とする。
球タンク、タンクレール等の球供給装置を使用せず、払出装置と島設備を直接連通することによって省スペースを実現し、島から流れてくる遊技球を透明板の間隙内に設けた貯留部にて貯留保持することによって、遊技者が球の補給状況を目視、確認することができる。
また、省スペース化を実現することで払出装置の設置可能範囲が広がるため、従来規格の弾球遊技機でも遊技盤の上方に払出装置を設置することが可能になる。
【手続補正１３】
【補正対象書類名】明細書
【補正対象項目名】００１８
【補正方法】変更
【補正の内容】
【００１８】
請求項８に記載の弾球遊技機は、請求項１乃至７に記載の弾球遊技機において、主要な遊技領域を目視する妨げにならない部分にて、払出す遊技球の貯留が可能であることを特徴とする。払出装置から上皿までを結ぶ球通路を、遊技盤面上の主要な遊技領域を遮蔽しない位置に設け、上皿に排出できなかった遊技球を球通路内又は球通路上の一部に設けられた貯留用の空間にて貯留する構成を有する。また、これならば受け皿が１つの構成の弾球遊技機でも、上下２つの受け皿を持つ弾球遊技機と大差なく、ある程度払出した遊技球を保持することができる。そのため、遊技者が自分の保持している遊技球の数を把握しやすいという効果を有する。払出された遊技球が主要な遊技領域を遮蔽してしまう場合、遊技の主要な部分（中央装置、始動口、大入賞口、普通図柄作動口、権利発生口など遊技進行において、遮蔽すると進行に妨げになる部位）を回避して払出しを行なうことが好ましい。
【手続補正１４】
【補正対象書類名】明細書
【補正対象項目名】００１９
【補正方法】変更
【補正の内容】
【００１９】
請求項８を実施可能とする手段として、もう１つ考えられる構成は、払出装置を上皿近傍に配置することにより、二重に嵌合された透明板の間隙内を補給用の球通路として使用することができる。これにより、払出しが可能な遊技球数を把握しやすいという効果を発揮する。
また、二重に嵌合された透明板の間隙内を補給用の球通路として用いる場合には、払出装置を補給用の球通路よりも下方に設けることが望ましい。
【手続補正１５】
【補正対象書類名】明細書
【補正対象項目名】００２０
【補正方法】削除
【補正の内容】